(57)【要約】【課題】装飾体２が装飾対象の表面に取り付けられているときに、装飾体２に外的負荷が加わることにより装飾体２が装着対象から取れてしまうのを防止する。【解決手段】携帯電話（装飾体２）１００の表面に装飾体２を取り付けるための装飾器具１である。装飾体２は結束バンドからなる連結部材３を介して支持体４に取り付けられている。ここで、支持体４には連結部材３を回転可能に保持する回転保持部材５が取り付けられている。【選択図】図１
0003134202.tif 000002
【実用新案登録請求の範囲】
【請求項１】
装飾体２と、
該装飾体２に取り付けられた可撓性を有する連結部材３と、
装着対象１００の表面に取り付けられる支持体４と、
前記支持体４に取り付けられた、前記連結部材３を回転可能に保持する回転保持部材５と
を備えたことを特徴とする装飾器具１。
【請求項２】
前記連結部材３が、棒状に形成された軸部３ａと、該軸部３ａの半径方向外側に向かって突出した係止片３ｂとを有するものであり、
前記回転保持部材５が、一端側５Ｘが前記係止片３ｂの外周より大きく他端側５Ｙが前記係止片３ｂの外周よりも小さい貫通孔５ａを有し、該貫通孔５ａの側壁に前記係止片３ｂの外周が当接することにより前記連結部材３を回転可能に保持するものであることを特徴とする請求項１記載の装飾器具１。
【請求項３】
前記連結部材３が、前記軸部３ａの長手方向に対し所定の間隔で形成された複数の係止片３ｂを有するものであり、
前記回転保持部材５が、前記他端側５Ｙに長さ方向に延びた複数のスリット５ｂを有するものであることを特徴とする請求項２記載の装飾器具１。
【請求項４】
前記連結部材３が、前記装飾体２の一部を結束することにより該装飾体２に取り付けられた結束バンドからなるものであることを特徴とする請求項１から３のいずれか１項記載の装飾器具１。
【請求項５】
前記装着対象１００が携帯電話からなり、前記支持体４が前記装着対象１００の表面に吸着する吸盤からなるものであることを特徴とする請求項１から４のいずれか１項記載の装飾器具１。
【考案の詳細な説明】
【技術分野】
【０００１】
本考案は、携帯端末や店頭の陳列棚等に取り付ける装飾器具に関するものである。
【背景技術】
【０００２】
近年、携帯電話の普及に伴い携帯電話に取り付ける様々な携帯用ストラップが開発されている。たとえば、実用新案登録第３１０７８７６号において、携帯電話に紐状部材を介して蛍光色の風船を取り付け、風船にヘリウムガスを注入することにより、風船を浮いた状態に保持する携帯用ストラップが開示されている。
【０００３】
上述した携帯電話への携帯用ストラップの取付にはリング状の紐が用いられる。このリング状の紐を携帯電話の筐体に形成された穴に通した後、リング状の紐の内側にストラップ本体を通して携帯電話の穴にリング状の紐を固定することにより、携帯用ストラップが携帯電話から外れないようになっている。
【考案の開示】
【考案が解決しようとする課題】
【０００４】
一方、上述したリング状の紐による取付方法の他に、携帯用ストラップを吸盤による吸着により携帯電話の表面に取り付ける方法がある。しかし、吸盤を用いて取り付けた場合、風船、人形、模型等からなるストラップ本体に外的負荷が加わったときに携帯用ストラップが携帯電話から取れてしまうことがあるという問題がある。
【０００５】
そこで、本考案は、装飾体が装飾対象の表面に取り付けられているときに、装飾体に外的負荷が加わることにより装飾体が装着対象から取れてしまうのを防止することができる装飾器具を提供することを目的とするものである。
【課題を解決するための手段】
【０００６】
本考案の装飾器具１は、装飾体２と、装飾体２に取り付けられた可撓性を有する連結部材３と、装着対象１００の表面に取り付けられる支持体４と、支持体４に取り付けられた、連結部材３を回転可能に保持する回転保持部材５とを備えたことを特徴とするものである。
【０００７】
ここで、装飾体２は、たとえば風船、旗、人形等の装着対象を装飾するもののみならず、値札、広告等の装着対象の説明を表示するものであってもよい。
【０００８】
また、連結部材３は、可撓性を有するものであればどのようなものであってもよく、たとえば樹脂等で形成された結束バンドからなるものであってもよいし、ガラスやプラスチックからなる光ファイバケーブルの心線、プラスチック棒、金属棒、針金、ワイヤー等からなるものであってもよい。ここで、連結部材３が結束バンドからなる場合、連結部材３はたとえば装飾体２の一部を結束することにより取り付けられるようにしてもよい。
【０００９】
また、連結部材３は、棒状に形成された軸部３ａと、軸部３ａの半径方向外側に向かって突出した係止片３ｂとを有するものであってもよい。このとき、係止片３ｂは、回転保持部材５に係止する部分にのみ設けられていてもよいし、軸部３ａの長手方向に対し所定の間隔で複数形成されたものであってもよい。
【００１０】
支持体４は、装着対象１００の表面に取付可能なものであればその構成を問わず、たとえば装着対象１００が携帯電話からなり、支持体４が、装着対象１００の表面に吸着する吸盤からなるものであってもよい。なお、装着対象１００は携帯電話に限らず、たとえば陳列棚や陳列棚に陳列された商品等の表面に取り付けられるものであってもよい。
【００１１】
回転保持部材５は、連結部材３を回転可能に保持するものであればその構成は問わず、たとえば、一端側５Ｘが係止片３ｂの外周より大きく他端側５Ｙが係止片３ｂの外周よりも小さい貫通孔５ａを有し、貫通孔５ａの側壁に係止片３ｂの外周が当接することにより連結部材３を回転可能に保持するものであってもよい。なお、回転保持部材５は、他端側５Ｙに長さ方向に延びた複数のスリットを有するものであってもよい。
【考案の効果】
【００１２】
本考案の装飾器具１によれば、装飾体２と、装飾体２に取り付けられた可撓性を有する連結部材３と、装着対象１００の表面に取り付けられる支持体４と、支持体４に取り付けられた、連結部材３を回転可能に保持する回転保持部材５とを備えたことにより、装飾体２に外的負荷が加わったときに、装飾体２および連結部材３が支持体４に対して回転して外的負荷を逃がすことにより、支持体４へ加わる外的負荷の影響を最小限に抑え、支持体４が装着対象１００から外れるのを防止することができる。
【００１３】
なお、連結部材３が、棒状に形成された軸部３ａと、軸部３ａの半径方向外側に向かって突出した係止片３ｂとを有するものであり、回転保持部材５が、一端側５Ｘが係止片３ｂの外周より大きく他端側５Ｙが係止片３ｂの外周よりも小さい貫通孔５ａを有し、貫通孔５ａの側壁に係止片３ｂの外周が当接することにより連結部材３を回転可能に保持するものであるとき、連結部材３を簡単な構造で回転可能に保持することができる。
【００１４】
また、連結部材３が、軸部の長手方向に対し所定の間隔で形成された複数の係止片３ｂを有するものであり、回転保持部材５が、他端側に長さ方向に延びた複数のスリットを有するものであれば、連結部材３を回転保持部材側に引っ張ることにより連結部材３の長さを調整することができる。
【００１５】
さらに、連結部材３が、装飾体２の一部を結束することにより装飾体２に取り付けられた結束バンドからなるものであるとき、既存の部品を用いて容易に装飾体２と連結部材３との接続を簡単に行うことができるとともに、装飾体２を回転可能に保持することができる。
【考案を実施するための最良の形態】
【００１６】
以下、図面を参照して本考案の装飾器具１の一実施形態について説明する。図１は本考案の装飾器具１の好ましい実施の形態を示す斜視図である。装飾器具１は、たとえば携帯電話、商品、陳列棚等の装着対象１００の表面に着脱可能に取り付けられるものであって、装飾体２、連結部材３、支持体４、回転保持部材５等を備えている。
【００１７】
装飾体２は、たとえばハート型の風船、人形、模型等の立体的形状を有するものからなり、装飾体２の下部に連結部材３が取り付けられている。連結部材３は回転保持部材５（図１において図示せず）を介して支持体４に固定されている。連結部材３は、可撓性を有する棒状の樹脂から構成されており、たとえば装飾体２を略直立した状態で保持するとともに装飾体２を浮動させる。一方、支持体４はたとえば樹脂により形成された吸盤からなっており、装着対象１００に対し着脱可能に取り付けることができる。そして、支持体４がたとえば携帯電話からなる装着対象１００に装着されることにより、装飾体２が装着対象１００を装飾する。
【００１８】
図２は支持体４と回転保持部材５との取付構造を示す模式図である。回転保持部材５は略円錐形状を有する部材からなり、支持体４は吸盤４ａと、吸盤４ａ上に形成された突起部４ｂとを有しており、突起部４ｂには回転保持部材５を挿入するための挿入穴４ｃが形成されている。挿入穴４ｃは回転保持部材５の最も大きい外形よりも小さい径を有しており、この回転保持部材５が挿入穴４ｃに圧入されることにより、回転保持部材５が支持体４に取り付けられる。
【００１９】
図３は連結部材３および回転保持部材５の構造を示す断面図である。連結部材３は、たとえば樹脂により成形された結束バンドからなるものであって、棒状に形成された可撓性を有する軸部３ａと、軸部３ａの半径方向外側に突出した外周が略円形状の係止片３ｂとを有している。特に、係止片３ｂは軸部３ａの長手方向（矢印Ｚ方向）に対し所定の間隔で複数設けられている。
【００２０】
回転保持部材５は、結束バンドの結束部分からなるものであって連結部材３を挿入するための貫通孔５ａを備えている。貫通孔５ａは一端側５Ｘから他端側５Ｙに向かって先細り形状を有しており、一端側５Ｘが係止片３ｂの外周より大きく他端側５Ｙが係止片３ｂの外周よりも小さく形成されている。そして、貫通孔５ａ内の側壁に係止片３ｂの外周が当接することにより、回転保持部材５は連結部材３を回転可能に保持する。同時に、貫通孔５ａの他端側５Ｙは係止片３ｂの外形より小さく形成されているため、係止片３ｂが貫通孔５ａの他端側５Ｙを通過することができず、連結部材３の矢印Ｚ１方向の移動を規制している。
【００２１】
貫通孔５ａの他端側５Ｙには長さ方向に延びたスリット５ｂが形成されている。このスリット５ｂにより貫通孔５ａの他端側５Ｙはその大きさが伸縮可能になっている。そして、連結部材３が回転保持部材５に対し一端側５Ｘから他端側５Ｙに向かって（矢印Ｚ１方向）引っ張られたとき、係止片３ｂから貫通孔５ａの他端側５Ｙに力が加わる。このとき、スリット５ｂが形成されていることにより貫通孔５ａの他端側５Ｙの径が広がり、係止片３ｂが貫通孔５ａの他端側５Ｙを通過する。係止片３ｂの通過後においては貫通孔５ａの他端側５Ｙは元の大きさに戻る。つまり、貫通孔５ａの他端側５Ｙを通り抜けた係止片３ｂは再び貫通孔５ａの他端側５Ｙを通過することができなり、連結部材３の矢印Ｚ２方向の移動が制限される。連結部材３は複数の係止片３ｂを有しているため、所望の長さになるまで回転保持部材５に対し連結部材３を引っ張ることにより支持体４から装飾体２までの距離を調整することができる。
【００２２】
図４は装飾体２に連結部材３が取り付けられる様子を示す模式図である。図４（Ａ）に示すように、装飾体２は、装飾体２本体２ａと、装飾体２本体２ａに一体的に形成された帯状部材２ｂとを備えている。一方、上述したように連結部材３は結束バンドからなっており、連結部材３の端部には回転保持部材５と同一の構成を有する結束部材３ｘが固定されている。
【００２３】
そして、連結部材３は装飾体２の一部を結束することにより固定されている。具体的には、連結部材３の一端側（回転保持部材へ挿入する側）が結束部材３ｘに挿入されることにより連結部材３がリング状に形成され、リング状の連結部材３の内側に帯状部材２ｂが挿入される。次に、図４（Ｂ）に示すように、結束部材３ｘを通過した連結部材３の一端側を引っ張りリングを小さくすることにより、連結部材３が帯状部材２ｂに巻き付き装飾体２と連結部材３とが固定される。その後、図４（Ｃ）に示すように、帯状部材２ｂが装飾体２本体２ａ側に折り返され、粘着テープ、接着剤等により装飾体２本体２ａに接着される。
【００２４】
このように、連結部材３が結束バンドからなり、この結束バンドを用いて帯状部材２ｂを締める付け装飾体２に連結部材３を固定されることにより、複雑な接続構造や接着剤等を用いることなく、簡単に装飾体２に連結部材３を固定することができる。
【００２５】
上記実施の形態によれば、装飾体２と、装飾体２に取り付けられた可撓性を有する連結部材３と、装着対象１００の表面に取り付けられる支持体４と、支持体４に取り付けられた、連結部材３を回転可能に保持する回転保持部材５とを備えたことにより、装飾体２に外的負荷が加わったときに、装飾体２および連結部材３が支持体４に対して回転して外的負荷を逃がすことにより、支持体４へ加わる外的負荷の影響を最小限に抑え、支持体４が装着対象１００から外れるのを防止することができる。
【００２６】
なお、連結部材３が、棒状に形成された軸部３ａと、軸部３ａの半径方向外側に向かって突出した係止片３ｂとを有するものであり、回転保持部材５が、一端側５Ｘが係止片３ｂの外周より大きく他端側５Ｙが係止片３ｂの外周よりも小さい貫通孔５ａを有し、貫通孔５ａの側壁に係止片３ｂの外周が当接することにより連結部材３を回転可能に保持するものであるとき、連結部材３を簡単な構造で回転可能に保持することができる。
【００２７】
また、連結部材３が、軸部の長手方向に対し所定の間隔で形成された複数の係止片３ｂを有するものであり、回転保持部材５が、他端側に長さ方向に延びた複数のスリットを有するものであれば、連結部材３を回転保持部材側に引っ張ることにより連結部材３の長さを調整することができる。
【００２８】
さらに、連結部材３が、装飾体２の一部を結束することにより装飾体２に取り付けられた結束バンドからなるものであるとき、既存の部品を用いて容易に装飾体２と連結部材３との接続を簡単に行うことができるとともに、装飾体２を回転可能に保持することができる。
【００２９】
本考案の実施形態は上記実施の形態に限定されない。たとえば図１において装飾器具１が携帯電話からなる装着対象１００に取り付けられている場合について例示しているが、図５に示すように、陳列棚を装着対象１００としたポップアップ広告として用いるようにしてもよい。なお、吸盤４ａは吸盤からなる場合について例示しているが、たとえば装着対象１００が金属製の陳列棚等である場合には磁石や陳列棚を把持するクリップ等からなるものであってもよい。また、図１の装飾体２は立体的形状を有する場合について例示しているが、図６に示すように、旗等の平面的形状を有するものであってもよい。
【００３０】
さらに、図１において、連結部材３が装飾体２を略直立させた状態で保持している場合について例示しているが、たとえばプラスチック光ファイバの心線等を軸部３ａとして用いることにより、撓ませた状態で保持するようにしてもよい。このとき、軸部３ａの外周方向に突出した複数の係止片３ｂがプラスチック光ファイバに形成され、この係止片３ｂにより連結部材３が回転保持部材５により回転可能に保持される。
【００３１】
さらに、軸部３ａとしてプラスチック棒、金属棒、針金、ワイヤー等を用いるようにしてもよい。この場合であっても、プラスチック棒等の半径方向外側に向かって少なくとも２つの係止片３ｂを形成することにより、回転保持部材５により回転可能に保持されることになる。
【００３２】
また、係止片３ｂの外周が円形状に形成されており、貫通孔５ａが略円錐状に形成され貫通孔５ａの断面は略円形状に形成されている場合について例示しているが、係止片３ｂもしくは貫通孔５ａのいずれか一方が略円形状に形成されていれば、回転保持部材５は連結部材３を回転可能に保持することができる。
【００３３】
さらに、図２において、回転保持部材５と支持体４とはそれぞれ別部材からなる場合について例示しているが、回転保持部材５と支持体４とが一体的に成形されたものであってもよい。
【図面の簡単な説明】
【００３４】
【図１】本考案の装飾器具の一実施形態を示す概略構成図
【図２】図１の支持体と回転保持部材との取付構造を示す模式図
【図３】図１の連結部材と回転保持部材との取付構造を示す断面図
【図４】図１の装飾体と連結部材との固定方法を示す模式図
【図５】本発明の装飾器具の他の用途の一例を示す模式図
【図６】本発明の装飾器具の別の実施形態を示す模式図
【符号の説明】
【００３５】
１     装飾器具
２     装飾体
３     連結部材
３ａ   軸部
３ｂ   係止片
４     支持体
５     回転保持部材
５ａ   貫通孔
５ｂ   スリット
５Ｘ   一端側
５Ｙ   他端側
１００ 装着対象
【図１】
0003134202.tif 000003
【図２】
0003134202.tif 000004
【図３】
0003134202.tif 000005
【図４】
0003134202.tif 000006
【図５】
0003134202.tif 000007
【図６】
0003134202.tif 000008